(57)【特許請求の範囲】
【請求項１】
爪に塗られたエナメルを除去するための爪エナメル除去器であって、
上部開口の有底円筒状の容器本体と、
指の挿入を可能とする穴または切り込みを有し、エナメル除去液を含浸させた状態で前記容器本体内に装入されるスポンジ体と、
前記容器本体の上部開口縁に固定して取り付けられ、前記スポンジ体の上面の外側円周部に圧接する凹凸部を持つ液漏れ防止部材と、
前記液漏れ防止部材の下方に位置し、前記容器本体の外周面上に回転自在に装着されるリング体と、
前記容器本体の上部開口を覆うキャップとを備え、
前記液漏れ防止部材は、前記容器本体の内壁面から内側に離れて位置する円周リップを有し、
前記円周リップの下端部に前記凹凸部が設けられている、爪エナメル除去器。
【請求項２】
前記容器本体は、前記上部開口側に位置する円筒形状の上部領域と、この上部領域の下方に位置し、上部領域の内部横断面積よりも小さい内部横断面積を有する下部領域とを含む、請求項１に記載の爪エナメル除去器。
【請求項３】
前記スポンジ体は、その外面に上下方向に延びる複数の溝を有する円柱形状のものであり、
前記容器本体は、前記下部領域の内壁面に前記スポンジ体の溝に係合するリブを有している、請求項２に記載の爪エナメル除去器。
【請求項４】
前記スポンジ体は、上下方向に貫通する中心穴と、この中心穴から径方向外側に向かって切り込まれた複数の切り込みとを有する、請求項１〜３のいずれかに記載の爪エナメル除去器。
【発明の詳細な説明】
【技術分野】
【０００１】
この発明は、手の指の爪に塗るマニキュアや、足の指の爪に塗るペディキュア等のエナメルを除去するための爪エナメル除去器に関するものである。
【背景技術】
【０００２】
従来の爪エナメル除去器の一例として、特許第５３５８７５２号公報（特許文献１）に開示されたものがある。
【０００３】
上記の特許文献１に開示された指先ケア用具（爪エナメル除去器）は、外周面に歯車状の突起を持つ筒状のスポンジ体と、このスポンジ体を収容する容器体とを有する。スポンジ体は、その一部を中空部内に折り返して折り返し部を作った状態で、容器体内に装入される。容器体は、その下方領域の内周面に、スポンジ体の外周面の溝部に係合するように突出して設けられた滑り止め部材を有する。好ましい指先ケア用具は、スポンジ体が容器体から脱落するのを防止するために、容器体の上部開口縁に指係止リングを嵌めている。指係止リングは、スポンジ体の折り返し部にリング状に当接する。スポンジ体には、エナメル除去液が含浸している。
【０００４】
上記の指先ケア用具を用いて爪のエナメルを除去する際には、指の爪をスポンジ体の中空部内に挿入し、指を回転させずに容器体を回転させる。あるいは、容器体を回転させずに指を回転させる。スポンジ体の外周面の溝部が容器体の滑り止め部材に係合しているので、スポンジ体は、容器体とともに回転し、あるいは容器体とともに静止する。したがって、指の爪に対して相対回転するスポンジ体が、指の爪の表面を擦ってエナメルを除去することになる。
【先行技術文献】
【特許文献】
【０００５】
【特許文献１】特許第５３５８７５２号公報
【発明の概要】
【発明が解決しようとする課題】
【０００６】
上記の指先ケア用具によって爪のエナメルを除去するためには、スポンジ体と爪表面との間の相対回転を確実に行わせることが必要である。スポンジ体の外周面溝部と容器体下方領域の内周面滑り止め部材とが係合しているので、容器体の上部開口部から離れた下方領域においてはスポンジ体と容器本体とは確実に係合し、両者は一体となって回転するか、一体となって静止する。しかしながら、指が挿入される容器体の上部開口部の領域には、スポンジ体の外周面溝部に係合する滑り止め部材が設けられていない。
【０００７】
指がスポンジ体の中空部内に挿入されると、スポンジ体は指を取り囲み、指の動きに追従しようとする。そのため、容器体を指に対して相対回転させた場合、挿入開口から遠い位置にあるスポンジ体の下方部分は指に対して確実に相対回転するが、スポンジ体の挿入開口部分は指の動きに追従し、結果として、スポンジ体の挿入部分と下方部分との間にねじれが生じるおそれがある。容器体の上部開口縁に嵌められた指係止リングがスポンジ体の折り返し部にリング状に面接触または線接触しているが、両者の係合力が弱いため、両者の間に滑りが生じてしまう。
【０００８】
本発明の目的は、指が挿入される挿入開口部分におけるスポンジ体が指の爪に対して確実に相対回転し得るようにした爪エナメル除去器を提供することである。
【課題を解決するための手段】
【０００９】
本発明に従った爪エナメル除去器は、指の爪に塗られたエナメルを除去するためのものであり、上部開口の有底円筒状の容器本体と、指の挿入を可能とする穴または切り込みを有し、エナメル除去液を含浸させた状態で容器本体内に装入されるスポンジ体と、容器本体の上部開口縁に固定して取り付けられ、スポンジ体の上面の外側円周部に圧接する凹凸部を持つ液漏れ防止部材と、液漏れ防止部材の下方に位置し、容器本体の外周面上に回転自在に装着されるリング体と、容器本体の上部開口を覆うキャップとを備える。
【００１０】
好ましい実施形態では、液漏れ防止部材は、容器本体の内壁面から内側に離れて位置する円周リップを有し、この円周リップの下端部に上記の凹凸部が設けられている。
【００１１】
さらに好ましい実施形態では、容器本体は、上部開口側に位置する円筒形状の上部領域と、この上部領域の下方に位置し、上部領域の内部横断面積よりも小さい内部横断面積を有する下部領域とを含む。
【００１２】
さらに好ましい実施形態では、スポンジ体は、その外面に上下方向に延びる複数の溝を有する円柱形状のものであり、容器本体は、上記テーパ形状の下部領域の内壁面にスポンジ体の溝に係合するリブを有している。
【００１３】
さらに好ましい実施形態では、スポンジ体は、上下方向に貫通する中心穴と、この中心穴から径方向外側に向かって切り込まれた複数の切り込みとを有する。
【発明の効果】
【００１４】
上記構成を備える本発明によれば、液漏れ防止部材の凹凸部がスポンジ本体の上面の外側円周部に凹凸状態で圧接するので、スポンジ体の指挿入開口部分を容器本体とともに確実に回転させることができる。
【００１５】
好ましい実施形態の作用効果については、図面を参照しながら以下の項目で詳細に説明する。
【図面の簡単な説明】
【００１６】
【図１】爪エナメル除去器を示す図であり、（ａ）はその平面図、（ｂ）はその正面図である。
【図２】キャップを外した状態の爪エナメル除去器の正面図である。
【図３】図１（ａ）の指示線ＩＩＩ−ＩＩＩに沿って見た縦断面図である。
【図４】容器本体を示す図であり、（ａ）はその平面図、（ｂ）はその正面図である。
【図５】図４（ａ）の指示線Ｖ−Ｖに沿って見た縦断面図である。
【図６】液漏れ防止部材を示す図であり、（ａ）はその平面図、（ｂ）はその正面図である。
【図７】図５（ａ）の指示線ＶＩＩ−ＶＩＩに沿って見た縦断面図である。
【図８】キャップの縦断面図である。
【図９】スポンジ体の斜視図である。
【図１０】図１（ｂ）の指示線Ｘ−Ｘに沿って見た横断面図である。
【図１１】図１（ｂ）の指示線ＸＩ−ＸＩに沿って見た横断面図である。
【図１２】手の人差し指をエナメル除去器内に挿入した状態を示す縦断面図である。
【図１３】足の親指をエナメル除去器内に挿入した状態を示す縦断面図である。
【発明を実施するための形態】
【００１７】
図１は、本発明の一実施形態に係る爪エナメル除去器１の全体外観図を示し、図３はその縦断面図を示している。図２は、キャップを取り外した状態の正面図である。
【００１８】
爪エナメル除去器１は、手の指の爪に塗られたマニキュアや、足の指の爪に塗られたペディキュア等のエナメルを効率的に除去するためのものであり、図１〜図３に示すように、容器本体１０と、スポンジ体２０と、液漏れ防止部材３０と、リング体４０と、キャップ５０とを備える。
【００１９】
図４および図５は、容器本体１０を示す。容器本体１０は、上部開口の有底円筒状の形態をしている。好ましい実施形態では、容器本体は、上部開口側に位置する円筒形状の上部領域１０Ａと、この上部領域１０Ａの下方に位置し、上部領域１０Ａの内部横断面積（内壁面によって取り囲まれる横断面積）よりも小さい内部横断面積を有する下部領域１０Ｂとを有する。その一例として、図示した容器本体１０は、円筒形状の上部領域１０Ａと、この上部領域１０Ａの下方に位置し底部に向かって先細りのテーパ形状の下部領域１０Ｂとを有する。
【００２０】
図４に示すように、容器本体１０の上部領域１０Ａと下部領域１０Ｂとの境界部分に位置する外周面には雄ねじ部１１が形成されている。また、容器本体１０の上部開口縁よりも僅かに下方に位置する外周面には、間隔を空けて円周状に延びる複数の位置規制突条１２が設けられている。
【００２１】
図５に示すように、容器本体１０の下部領域１０Ｂの内壁面には、円周方向に等間隔をあけて８個の突出したリブ１３が設けられている。リブ１３は、容器本体の底端から下部領域１０Ｂの上端まで延びているが、上部領域１０Ａには形成されていない。
【００２２】
図９に示すように、スポンジ体２０は、全体として略円柱形状を有しており、その中央部には指の挿入を可能とする穴または切り込みが設けられている。図示した実施形態では、中心穴２１が略円柱形状のスポンジ体２０の上端面から下端面まで貫通して延びている。指の挿入の際に指挿入部分が径方向に広がるのを許容するために、中心穴２１から径方向外方に延びる４個の切り込み２２が設けられている。
【００２３】
好ましい実施形態では、略円柱形状のスポンジ体２０は、その外面に上下方向に延びる複数の溝２３を有する。
【００２４】
スポンジ体２０は、エナメル除去液を含浸させた状態で、容器本体１０内に装入される。スポンジ体２０は、図１２に示すように、容器本体１０の底端から上端開口部近傍に至るまでの高さを有している。容器本体１０の下部領域１０Ｂの横断面を示す図１０から明らかなように、下部領域１０Ｂの内壁面に形成された８個のリブ２３は、スポンジ体２０の８個の溝に係合する。この係合により、容器本体１０の下部領域１０Ｂの内壁面とスポンジ体２０の下方部分とは、相対的な回転ずれを生じることなく、一体となって回転する。
【００２５】
容器本体１０の上部領域１０Ａの横断面を示す図１１から明らかなように、上部領域１０Ａの内壁面は、リブを有さない滑らかな円筒面となっているので、容器本体１０の上部領域１０Ａの内壁面とスポンジ体２０の上方部分とは、相対的な回転ずれを生じやすくなっている。
【００２６】
図２および図３に示す円筒形状のリング体４０は、容器本体１０の上部領域１０Ａの外周面上に回転自在に嵌められている。リング体４０は、その下端が容器本体１０の雄ねじ部１１の段差面に当接しており、その上端が容器本体１０の位置規制突条１２によって当接しているか、または上方への移動が規制されている。図示していないが、リング体４０の内壁面には、容器本体１０の位置規制突条１２を通過させ得る凹部が設けられている。したがって、リング体４０の図示しない凹部と容器本体１０の位置規制突条１２とを整列させれば、リング体４０を容器本体１０の上方からその外周面上に嵌めることができる。
【００２７】
リング体４０を装着後においては、リング体４０は、雄ねじ部１１の段差部と位置規制突条１２との間で、容器本体１０に対して自由に相対回転できるようになる。
【００２８】
図３、図６および図７に示すように、液漏れ防止部材３０は、中央開口３３を有する断面逆Ｕ字形状のリング状部材であり、容器本体１０の上部開口縁に固定して嵌められる。液漏れ防止部材３０は、シール性を有する材料で形成されており、容器本体１０を傾けてもエナメル除去液が外部に漏れ出るのを防止する。
【００２９】
図示した実施形態では、液漏れ防止部材３０は、容器本体１０との一体性を高めるために、容器本体１０の位置規制突条１２を覆う形状となっている。
【００３０】
液漏れ防止部材３０は、容器本体１０の内壁面から内側に離れて位置する円周リップ３１を有している。円周リップ３１は、僅かに下方に垂れ下がっており、容器本体１０の内壁面との間にすき間を形成している。したがって、容器本体１０を傾けたとき、スポンジ体２０から滲み出たエナメル除去液をこの隙間内で受け止めることができる。
【００３１】
液漏れ防止部材３０の円周リップ３１の下端部には、円周状に連なって延びる多数の凹凸部３２が設けられている。図３に示すように、液漏れ防止部材３０の円周リップ３１の凹凸部３２は、スポンジ体２０の上面の外側円周部に上方から圧接する。凹凸部３２は、スポンジ体２０の上面に凹凸面で係合するので、両者の間の相対的な滑りは抑制される。
【００３２】
図８に示すキャップ５０は、爪エナメル除去器１を使用しない時に、液漏れ防止部材３０の中央開口３３を閉塞するものであり、その内壁面に、容器本体１０の雄ねじ部１１に螺合する雌ねじ部５１を有している。図３に示すように、キャップ５０の天壁裏面には、シール性を確保するためのシール材５２が固定して取り付けられている。
【００３３】
図３に示す完成品の構造では、スポンジ体２０は、その下方部分が容器本体１０の下部領域１０Ｂの内壁面および８個のリブ１３によって中心側に向かって圧縮されている。他方、スポンジ体２０の上方部分も容器本体１０の上部領域１０Ａの内壁面によって中心側に向かって圧縮されているが、容器本体１０の上部領域１０Ａの内径が下部領域１０Ｂよりも大きいこと、および上部領域１０Ａにはリブが形成されていないことから、圧縮の度合いはスポンジ体２０の下方部分に比べて小さい。言い換えれば、容器本体１０内に装入されているスポンジ体２０の圧縮密度は、下方領域が大きく、上方領域が小さい。
【００３４】
上記の圧縮密度の差を利用して、細い手の指の爪のエナメルを除去する際には、指を容器本体１０の下部領域にまで挿入し、太い足の指の爪のエナメルを除去する際には、指を容器本体１０の上部領域に挿入する。足の指は太いので、圧縮密度の小さいスポンジ体２０に挿入後は、スポンジ体２０は足の指によって十分に圧縮密度が高まり、エナメル除去作用を十分に発揮する。
【００３５】
図１２は、例示的に、手の人差し指の爪７０を容器本体１０の下部領域１０Ｂ内にまで挿入した状態を示している。右手の人差し指の爪７０のエナメルを除去する際には、例えば右手の親指と中指とでリング体４０を回転しないように保持し、左手で容器本体２０を掴んで回転させる。爪７０は静止した状態なので、容器本体１０とともに回転するスポンジ体２０の中心穴２１および切り込み２２の部分が爪７０上を圧迫して擦り、エナメルを除去する。
【００３６】
スポンジ体２０の上面は、容器本体１０の上部開口縁に固定して嵌められた液漏れ防止部材３０の凹凸部３２と相対回転ずれが生じないように係合しているので、スポンジ体２０を、上下方向全体に亘って確実に容器本体１０と一体となって回転させることができる。
【００３７】
図１３は、例示的に、足の親指の爪８０を容器本体１０の上部領域１０Ａ内に挿入した状態を示している。足の親指の爪８０のエナメルを除去する際には、例えば一方の手でリング体４０を回転しないように保持し、他方の手で容器本体１０を掴んで回転させる。爪８０は静止した状態なので、容器本体１０とともに回転するスポンジ体２０の中心穴２１および切り込み２２の部分が爪８０上を圧迫して擦り、エナメルを除去する。
【００３８】
図示した実施形態の場合、スポンジ体２０の中心穴２１から径方向外方に延びる４個の切り込み２２が形成されているので、隣接する切込み２２間に位置するＶ字形状突起部が爪の上を擦るように移動し、エナメルを効果的に除去することができる。
【００３９】
図面を参照して説明した実施形態は、本発明を例示的に説明した一例であり、種々の修正や変更が可能である。例えば、以下のような変更が考えられる。
【００４０】
（１）液漏れ防止部材が、容器本体の内壁面から内側に離れて位置する円周リップを有さなくてもよい。この場合には、容器本体の内壁面に沿って隙間なく垂下する内側壁の下端に凹凸部が設けられる。
【００４１】
（２）容器本体が、テーパ形状の下部領域を有さず、上下方向に亘ってほぼ同径の単純な円筒形状のものであってもよい。この場合、典型的には、手の指の爪のマニキュア除去専用器、または足の指の爪のペディキュア除去専用器として利用してもよい。
【００４２】
（３）本発明の重要な特徴は、液漏れ防止部材の凹凸部がスポンジ体の上面に凹凸面で確実に係合して相対的な回転ずれを生じないようにすることである。係る観点からすれば、スポンジ体の外周面に溝を設けず、容器本体の内壁面にリブを設けないものも本発明の範囲に含まれる。
【００４３】
（４）スポンジ体の指挿入開口の形状は任意に選ぶことができる。
【００４４】
なお、今回開示した上記各実施の形態は全ての点で例示であって、限定的な解釈の根拠となるものではない。したがって、本発明の技術的範囲は、上記した各実施の形態のみによって解釈されるのではなく、特許請求の範囲の記載に基づいて画定される。また、特許請求の範囲の記載と均等な意味及び範囲内でのすべての変更が含まれる。
【産業上の利用可能性】
【００４５】
本発明は、簡易な構造の爪エナメル除去器として有利に利用され得る。
【符号の説明】
【００４６】
１  爪エナメル除去器、１０容器本体、１０Ａ  上部領域、１０Ｂ  下部領域、１１  雄ねじ部、１２  位置規制突条、１３  リブ、２０  スポンジ体、２１  中心穴、２２  切り込み、２３  溝、３０  液漏れ防止部材、３１  円周リップ、３２  凹凸部、３３  中央開口、４０  リング体、５０  キャップ、５１雌ねじ部。
【図１】
0006018610.tif 000002
【図２】
0006018610.tif 000003
【図３】
0006018610.tif 000004
【図４】
0006018610.tif 000005
【図５】
0006018610.tif 000006
【図６】
0006018610.tif 000007
【図７】
0006018610.tif 000008
【図８】
0006018610.tif 000009
【図９】
0006018610.tif 000010
【図１０】
0006018610.tif 000011
【図１１】
0006018610.tif 000012
【図１２】
0006018610.tif 000013
【図１３】
0006018610.tif 000014